(57)【要約】      （修正有）【課題】スノーボード、スキー、ローラースケート等のスポーツ用具に足または靴を保持する保持装置の美的外観を容易に変更できるようにする足または靴の保持装置の提供。【解決手段】底板３、外側フランジ９と内側フランジ１０、後方支承部材２０、あるいは第一の紐部材５０と第二の紐部材５１を構成する、これら部品の少なくとも１をカバー９１，９２，９３で覆う。このカバーは美的および／または技術的特性を該部品にもたらす。例えば、色彩や、装飾的な絵柄や、あるいは摩擦係数、耐磨耗性、柔軟性、厚さ等もこれら諸特性に関係する。カバーは、それによって覆われる部品を個人の好みに合わせる。【選択図】図２
0003113286.tif 000002
【実用新案登録請求の範囲】
【請求項１】
足または靴を受け入れるための少なくとも１の接触部品（３、９、１０、２０、５０、５１）を有し、前記接触部品の少なくとも１がカバー（８０、９１、９２、９３）で覆われていることを特徴とするスポーツ用具（２）に足または靴を保持する装置（１）。
【請求項２】
前記接触部品（３、９、１０、２０、５０、５１）の１が、後方支承部材（２０）であることを特徴とする請求項１による保持装置（１）。
【請求項３】
前記カバー（８０）が、全体として袋状の外観を呈することを特徴とする請求項１または２による保持装置（１）。
【請求項４】
前記接触部品（３、９、１０、２０、５０、５１）の１が底板（３）、あるいは外側フランジ（９）、あるいは内側フランジ（１０）、または第一の結合部材（５０）、または第二の結合部材（５１）であることを特徴とする請求項１による保持装置（１）。
【請求項５】
前記カバー（８０、９１、９２、９３）のための恒久的閉鎖手段を含むことを特徴とする請求項１ないし４のいずれか１による保持装置（１）。
【請求項６】
前記恒久的閉鎖手段が縫い取り部（９０）を含むことを特徴とする請求項５による保持装置（１）。
【請求項７】
前記カバー（８０、９１、９２、９３）のための非恒久的閉鎖手段を含むことを特徴とする請求項１ないし４のいずれか１による保持装置（１）。
【請求項８】
前記カバー（８０、９１、９２、９３）が前記接触部品（３、９、１０、２０、５０、５１）のほぼ全体を覆うことを特徴とする請求項１ないし７のいずれか１による保持装置（１）。
【請求項９】
前記カバー（８０、９１、９２、９３）が高い摩擦係数を有する材料から成ることを特徴とする請求項１ないし８のいずれか１による保持装置（１）。
【請求項１０】
底板（３）、外側フランジ（９）、内側フランジ（１０）、後方支承部材（２０）、第一の結合部材（５０）、および第二の結合部材（５１）を有することを特徴とする請求項１ないし９のいずれか１による保持装置（１）。
【考案の詳細な説明】
【技術分野】
【０００１】
本考案はスポーツ用具（例えば、少なくとも１の紐（結合）部材によって保持を行う用具）に足または靴を保持する装置に関する。
【０００２】
このような装置は、スノーサーフィン（あるいはスノーボード）、雪上スキー、あるいは水上スキー、ローラー・スケート等の実施に使用される。
【背景技術】
【０００３】
先行技術による紐締め装置は、一般に、外側部分と内側部分とを含み、これら外側部分と内側部分の間に、足または靴を収容する区域を含み、また、これら外側部分と内側部分の少なくとも一方に連結される後部支承部材を画成する。さらに、この装置は、外側部分と内側部分の間に延在する少なくとも１の紐（結合）部材を含み、この部材は足または靴を収容区域内に保持するのに役立つ。
【０００４】
外側部分と内側部分、後部支承部材、および紐（結合）部材から成る部品は、足または靴の回りに保持用の枠組みを形成する。
【０００５】
各部品は、一方では、技術上の仕様を満足すると同時に、他方では、審美上の仕様を満足するものでなければならない。実際、これらの部品は装置上で目立つ所にある。このことは、該装置の良好な機能という貢献に加えて、一つの部品が美観上の魅力を提供しなければならないと言うことを意味するからである。そこでは、買い手あるいは使用者の関心を引くことが重要な条件となる。
【０００６】
このように、装置の魅力を刷新していくためには、部品のもつ美観をしばしば変更する必要がある。ところが、このようなやり方は、一般に複雑で、かつ費用の掛かる技術的変更を引き起す。
【０００７】
例えば、成形したプラスチック材料から後部支承部材を製作するには、形状を変更するために鋳型を変更しなければならない。ところが、型の製作には費用が掛かるので、古くなっても鋳型の更新は殆ど行われない。
【０００８】
したがって、保持装置の美的外観を変更することは複雑で、かつ多額の費用が掛かるように思われる。
【考案の開示】
【考案が解決しようとする課題】
【０００９】
本考案の目的の一つは、保持装置の美的外観を容易に変更できるようにすることである。
【課題を解決するための手段】
【００１０】
この目的のために、本考案は、少なくとも１の足あるいは靴用の接触部材を有する、スポーツ用具に足または靴を保持する装置を提案する。
【００１１】
本考案による保持装置の特徴は、構成部品の少なくとも１がカバーで覆われていることである。
【００１２】
このカバーは、とりわけ、審美的な機能を満たすものである。
【００１３】
実際、該カバーには、たとえ、その一般的な形状が覆いを施そうとする部品の形状に合致するものであっても、着色を施したり、表面状態を滑らかにしたり、凹凸を付けたり、あるいはその他の極めて特徴的な加工を施してもよい。
【００１４】
したがって、所定のカバーを選択するに当たっては、該装置の美的外観を決定する必要がある。
【００１５】
もちろん、種々のカバーを用いて同一の部品を覆ってもよい。一種類のカバーを、特に縫い取り技術によって容易に製作できるので、その使用は製作した装置の選択あるいは改良を容易にする。
【００１６】
本考案の他の特徴および利点は、添付の図面を参照して、本考案がどのようにして実現できるかを記載した以下の非限定的な実施態様に関する説明を読むことによって更に良く理解されよう。
【考案を実施するための最良の形態】
【００１７】
記載した実施態様はスノーボードの分野に関するものであるけれども、最初に述べた他の各種の分野にも応用可能であると理解すべきである。
【００１８】
図１から明らかなように、本考案による保持装置１は、靴（図示せず）を板材２上に一時的に保持できるようにする。
【００１９】
公知のやり方で、この保持装置１は後端部４と前端部５の間で長手方向に延在する底板（台座）３を含む。
【００２０】
この底板３は靴の側面となるように設けられた上面６と、板材２の側面となるように設けられた下面７とを有する。
【００２１】
クッション８が底板３を覆って板材の操縦に際して発生する衝撃を緩和する。このクッション８は、底板３の一端部４から他端部５まで延在する単一成形体として表されるが、複数個の別個の部分から成るようにしてもよい。
【００２２】
また、この保持装置にはクッションの使用を考えなくても良く、この場合、靴を底板３上に直接保持する。
【００２３】
この台座３は当業者に公知となっている何らかの手段（例えば、ネジで板材にそれ自体を固定させたディスク等）を用いて板材２に保持させても良い。これらの部材（図示せず）はクッション８の下に配置される。
【００２４】
もちろん、底板３を固定するための他の手段（例えば、ネジを用いて直接連結する手段）を考えてもよい。
【００２５】
底板３は外側フランジ９および内側フランジ１０により横方向に沿って設けられる。該フランジ９、１０の各々は、保持装置１の外側部分および内側部分を形成して靴の収容区域１１を画定する。この収容区域が保持装置１の所定箇所にあるとき、両フランジ９、１０は靴底を横方向に辿ることになる。もちろん、これら外側部分と内側部分を形成するためには、フランジ９、１０以外の他の部材を考えてもよい。例えば、簡単な外側ストッパーと内側ストッパーを案出してもよい。
【００２６】
底板３とフランジ９、１０は、例えば合成樹脂材料で作られた単一成形体から成るのが好ましいが、フランジは、糊着、熔接、ネジ止め、嵌合等の手段で該底板に一体連結された部品とするようにしてもよい。
【００２７】
図示の実施態様において、保持装置１は後部支承部材２０をも備えており、使用者が自分の脚低部で後方支承を行えるようになっている。
【００２８】
後部支承部材２０は、湾曲した板部材２１を含む。この湾曲した板部材は取付け端２２と自由端２３の間で長手方向に延在し、かつ外側縁部２４と内側縁部２５の間で横断方向に延在し、かつ支承面２６と自由面２７との間に厚みを有する。該板部材２１はまた、平坦なものであってもよい。
【００２９】
もちろん、支承面２６は、使用者の脚低部の後部を受けるために設けられており、したがって後方支承部材２０と底板３は結合されている。記載の実施態様によれば、後方支承部材２０は、例えば少なくとも１のヒンジによりフランジ９、１０に連結される。このヒンジは、該保持装置１の横断方向軸２８にほぼ沿って方向付けられている。該ヒンジは、ネジ、リベット、座金、ナット、旋回軸等の構成要素から成る。
【００３０】
該ヒンジは後方支承部材２０を底板３へ向かう接近運動を可能にする。ここから生ずる利点は、装置全体を折り畳んで整頓し易くすることにある。
【００３１】
当然のことながら、後方支承部材２０は底板３に直接結合させてもよい。あるいはまた、該後方支承部材（この場合は、板部材）２０は該スポーツ用具に直接一体連結させるようにしてもよい。なお、この後方支承部材は、脚低部の後方支承を可能にするよう、該スポーツ用具上に配置させるだけで十分である。
【００３２】
記載の実施態様によれば、ストッパー（衝止部）３５は後方支承部材２０が後方へ向けて回動するのを制限する。
【００３３】
非限定的な仕方で、該ストッパー（衝止部）３５は後方支承部材２０を取り囲むケーブル３６を備えている。該ケーブル３６の通過経路は図１および図２より明確に読み取ることができる。例えば、該ケーブルは外側端部と内側端部を通過させるようにしてもよい。各端部は、当業者に公知の手段で外側フランジと内側フランジにそれぞれ一体連結されている。また、口金を嵌め込んで使用してもよい。これら両端部の間でケーブル３６は離間することによりフランジ９、１０に追随し、フランジからより離れた位置で後方支承部材２０を迂回する。自由面２７の側で後方支承部材２０に一体連結させた調節可能なスペーサー３７が底板３に対してこの後方支承部材の角度位置を調節できるようにする。
【００３４】
もちろん、ストッパーを実現するためには、他の適宜な構造のものを用いてもよい。例えば、フランジ９、１０の間に連絡用のアーチ部分を設け、このアーチ部分上にスペーサー３７を支承させるようにしてもよかろう。この場合、ケーブルを用いる必要はない。
【００３５】
また、靴を底板３上で取り外し可能に保持するため、収容区域１１内でフランジ９、１０の間に２本の紐（結合）部材を設けることも考えられる。
【００３６】
第一の紐部材５０は、足を保持する際、中足骨／指骨関節の箇所で、前方に位置する。第二の紐部材５１は、足を保持する際、足甲部の箇所で、後方に位置する。
【００３７】
これら紐（結合）部材５０、５１の各々はフランジ９、１０の間で横断方向に延在する。
【００３８】
もちろん、これ以外にも各種の紐部材を案出してもよかろう。
【００３９】
一例として、第一の紐部材５０は外側部分５２と内側部分５３とを有し、これら両部分はそれぞれ外側フランジ９と内側フランジ１０につなぎ合わされている。結合装置５４は、外側部分５２と内側部分５３を互いに可逆的に連結することができる。この結合装置５４は、所望の強さに応じて靴を緊縛することができる。
【００４０】
第二の紐部材５１自体は、前方分割部分５５と後方分割部分５６とを有する。前方分割部分５５は後方支承部材２０の支承面２６の側に位置し、後方分割部分５６は後方支承部材２０の自由面２７の側に位置する。これにより、第二の紐部材が後方支承部材２０の締めつけを行うことができると同時に、足または靴を保持することができる。その結果、脚低部の後部分が、常時、後方支承部材２０の支承面２６に対して押し付けられることになる。これによって生ずる利点は、後方支承に際して、スポーツ用具の操縦から生じる衝撃が直接伝達されることである。
【００４１】
紐（結合）部材５１の後方分割部分５６は、アーチ５９を介して互いに連結される足の外側部５７と内側部５８を含む。外側部５７と内側部５８は、それぞれ、例えば横断方向軸のヒンジ部を用いて外側フラップ９と内側フラップ１０に結合される。これにより生ずる利点は、後方分割部分５６に、或る一定の回転の自由度を付与することである。これにより、後方分割部分５６の配置が容易となる。アーチ５９は後方支承部材２０の自由面２７に対してより容易に密着する。
【００４２】
足部５７、５８およびアーチ５９は、例えば合成樹脂材料から成る単一成形体であるのが好ましい。後方分割部分５６はポリウレタン、ポリエステル、ポリアミド等で製作することができる。
【００４３】
もちろん、この後方分割部分は複数個の部品を、当業者に公知の何らかの手段により組み立てて製作することもできる。
【００４４】
前方分割部分５５自体は後方分割部分５６に結合されている。この前方分割部分５５は、例えば外側部分６５と内側部分６６とを備えている。これら外側部分６５と内側部分６６は、それぞれ、外側足部５７と内側足部５８に取り付けられている。しかしながら、該外側部分６５と内側部分６６をアーチ５９に取り付けてもよい。
【００４５】
連結装置６７は、外側部分６５と内側部分６６を互いに、可逆的に、
結合することができる。連結装置６７は所望の強さに応じて靴を緊縛可能にする。
【００４６】
一般的な仕方で、第一の紐（結合）部材５０と第二の（結合）紐部材５１は、比較的柔軟性に富み、かつ伸長不能な材料を用いて作られる。例えば、該部材はポリアミドや、補強を施したしたあるいは補強を施してないポリウレタン等の合成樹脂材料で製作することができる。
【００４７】
本考案によれば、底板３、外側フランジ９と内側フランジ１０、後方支承部材２０、あるいは第一の紐部材５０と第二の紐部材５１を構成する、これら部品の少なくとも１をカバーで覆う。このカバーは美的および／または技術的特性を該部品にもたらす。例えば、色彩や、装飾的な絵柄や、あるいは摩擦係数、耐磨耗性、柔軟性、厚さ等もこれら諸特性に関係する。カバーは、それによって覆われる部品を個人の好みに合わせる。
【００４８】
このカバーはまた、後方支承部材２０を構成する材料の選定を容易にする。なぜなら、カバーの選定は技術的特性についてのみ行われるのではなく、装飾相もカバーの構成材料によって与えられるからである。
【００４９】
後方支承部材２０の場合における部品の被覆について、とりわけ図３を用いて説明する。
【００５０】
被覆を行うために、該部品を装置１から取り外す。この場合には、後方支承部材２０をそのような対象と見做す。被覆を行うためのカバー８０は全体がサックの外観を有している。したがって、カバー８０は、該後方支承部材２０に対して矢印の方向に挿入するための開口部８１を有する。カバー８０は、開口部８１から基部８２まで長手方向に、また外側縁部８３から内側縁部８４まで横断方向に延在し、さらに支承面８５と自由面８６との間に厚みを有する。
【００５１】
もちろん、後方支承部材２０に入り込んだのち、カバーの支承面８５は後方支承部材２０の支承面２６と向かい合うかたちになる。したがって、脚低部は該後方支承部材に間接的にもたれ掛かることになる。
【００５２】
類推により、カバーの自由面８６は後方支承部材２０の自由面２７と向かい合うかたちになる。
【００５３】
カバー８０の基部８２、外側縁部８３、および内側縁部８４は、それぞれ、該後方支承部材２０の自由端２３、外側縁部２４、および内側縁部２５に沿って伸びている。
【００５４】
開口部８１自体は、該後方支承部材の取付端２２の箇所に位置する。
【００５５】
記載の実施態様によれば、カバー８０の開口部８１は閉じた状態にある。この場合には、恒久的な閉鎖手段を利用する。この常時閉鎖された手段は、図２から分かるように、縫い目９０を有する。縫い取り後、カバー８０は後方支承部材２０をほぼ全体に亙って包む。それゆえ、該後方支承部材２０は、カバー８０と一緒に、保持装置１の構成要素を形成する。この構成要素は操作が容易である。
【００５６】
もちろん、この恒久的な閉鎖手段の別の実施形態として、例えば、糊着、熔接等による手段を案出してもよい。
【００５７】
また、恒久的でない閉鎖手段を案出してもよい。例えば、スナップ式のもの、あるいは、一方にバックルを有し、他方にフックを備えた一対の柔軟なバンドから成る手段を案出してもよい。このように、カバー８０は被覆対象物（この場合には、後方支承部材２０）から分離されて、保存したり、交換したりできるものとしてもよい。
【００５８】
場合によっては、下方に閉鎖手段が無いものも可能である。この場合、カバーをヒンジ連結軸２８で保持させてもよい。
【００５９】
カバー８０は織布や、プラスチック、ゴム等を主成分とする合成材料や、あるいは皮、繊維、コルク等の天然材料から成るものでもよい。
【００６０】
カバー８０の外表面には、美的な関心を引きつけるような色彩あるいは彩色パターンを施してもよい。
【００６１】
該カバー８０の構成材料は、摩擦係数が０．２以下の良好な滑走性を有するものであればよい。このような低摩擦係数であれば、靴が後方支承部材２０上で良く滑るので、その着脱が容易となる。
【００６２】
逆に、構成材料が０．２以上の比較的高い摩擦係数を有する場合には、足部または靴を保持装置１に保持するのがより良好となる。
【００６３】
記載の実施態様によれば、カバー８０の厚さはほぼ一定である。したがって、後方支承部材２０の形状が復元する。それゆえ、後方支承部材２０とカバー８０が互いに結合して貢献する。第一の貢献は、とりわけ、脚低部を介して伝わる操縦応力の伝達である。第二の貢献は、例えば、支承部材とカバーによって形成される集合体にそれ自体の外観を付与できることである。
【００６４】
もちろん、カバー８０は厚さが変化するものであってもよいし、あるいは異なる技術的特性を有する異なる区域を持つものであってもよい。例えば、或る区域では表面がすべすべしているか、あるいは逆に、ざらざらしているもの、または、厚さが厚いか、或いは逆に、薄いものであったり、あるいは、比較的剛性に富んでいたり、あるいは逆に、より柔軟であってもよい。
【００６５】
記載の実施態様において、カバー８０は構成部品（この場合には、後方支承部材２０）のほぼ全体を覆っている。しかしながら、この部品のみを部分的に覆う厚さを減じたカバーを用いてもよく、また、被覆した部品全部を見せるか、あるいは部分的に見せるように透かしを設けたカバーを案出してもよい。
【００６６】
一般的な仕方で、保持装置を構成する各部品をカバーで覆うようにしてもよい。例えば、図１および図２から分かるように、外側カバー９１は外側フランジ９を覆い、前方カバー９２は第一の紐部材５０を覆い、後方カバー９３は第二の紐部材５１を覆う。もちろん、内側フランジ１０を覆うための内側カバー、あるいは底板（台座）３を覆うためのカバーを案出してもよい。
【００６７】
一般的な仕方で、本考案は当業者に公知の材料を用い、かつ公知の実施技術に従って製作される。
【００６８】
もちろん、本考案は記載の実施態様に限定されるものではなく、別記の実用新案登録請求の範囲内に入る全ての同等の技術を含む。
【００６９】
とりわけ、カバーの形状あるいは寸法は、被覆する部材の形状あるいは寸法により異なっていてもよい。
【００７０】
さらに、本考案による保持装置は、紐部材を用いる以外の他の方法を用いて靴を保持するように構成してもよい。例えば、この紐部材は靴底を係止するために設けられる係止手段で置き換えることができる。
【図面の簡単な説明】
【００７１】
【図１】本考案の一実施態様による保持装置の前方斜視図である。
【図２】図１の装置を後方から見た斜視図である。
【図３】後方支承部材と被覆のためのカバーを後方から見た分解斜視図である。
【符号の説明】
【００７２】
１.....   保持装置
２.....   板材
３ .....  底板（台座）
９ .....  外側フランジ
１０.....   内側フランジ
２０ .....  後方支承部材
５０ .....  第一の紐（結合）部材
５１ .....  第二の紐（結合）部材
８０  ..... カバー
９１ .....  側方カバー
９２.....   前方カバー
９３ .....  後方カバー
【図１】
0003113286.tif 000003
【図２】
0003113286.tif 000004
【図３】
0003113286.tif 000005